(57)【要約】【課題】  ＩＣタグを容器キャップ内に埋設することで、タグを外部から隠蔽し、剥離、損壊等を防止するとともに、アンテナ長を最適な長さに設定可能とする。【解決手段】  容器開口部に着脱可能に取り付けられるキャップであって、キャップ本体１０と、タグ本体２１とアンテナ２２と基材２３からなるＩＣタグ２０とを備え、ＩＣタグ２０がキャップ本体１０の天面部１１に埋設されるとともに、ＩＣタグ２０のアンテナ２２が、キャップ本体１０の天面部１１に渦巻き状に埋設される構成としてある。このような構成とすることにより、ＩＣタグ２０はキャップに埋設されて隠蔽され、剥離、損壊等からも有効に保護され、また、アンテナを渦巻き状にすることで、アンテナ長を任意の長さに設定でき、無線通信特性を向上させることができる。【選択図】      図２
2005321935.tif 000002
【特許請求の範囲】
【請求項１】
容器開口部に着脱可能に取り付けられるキャップであって、
キャップ本体と、
ＩＣチップ及びアンテナを有するＩＣタグと、を備え、
前記ＩＣタグが前記キャップ本体に埋設されたことを特徴とするＩＣタグ内蔵キャップ。
【請求項２】
前記ＩＣタグのアンテナが、前記キャップ本体の天面部に埋設される請求項１記載のＩＣタグ内蔵キャップ。
【請求項３】
前記ＩＣタグのアンテナが、前記キャップ本体の天面部に渦巻き状に埋設される請求項１又は２記載のＩＣタグ内蔵キャップ。
【請求項４】
前記ＩＣタグの全体に熱防止シートコート加工を施した請求項１乃至３のいずれか一項に記載のＩＣタグ内蔵キャップ。
【請求項５】
請求項１乃至３記載のＩＣタグ内蔵キャップの製造方法であって、
キャップ本体の天面部外側を成形する工程と、
成形された天面部外側にＩＣタグを搭載する工程と、
ＩＣタグが搭載された天面部外側に、天面部内側を含むキャップ本体を一体成形する工程とを有し、
キャップ本体の天面部外側を成形する工程およびキャップ本体を一体成形する工程を圧縮成型または射出成型により行う
ＩＣタグ内蔵キャップの製造方法。
【請求項６】
請求項１乃至３記載のＩＣタグ内蔵キャップの製造方法であって、
キャップ本体の天面部外側を成形する工程と、
成形された天面部外側にＩＣタグを搭載する工程と、
キャップ本体の天面部内側を含むキャップ本体を成形する工程と、
ＩＣタグが搭載された天面部外側と、天面部内側を含むキャップ本体を溶着する工程と、
を有するＩＣタグ内蔵キャップの製造方法。
【発明の詳細な説明】
【技術分野】
【０００１】
本発明は、プラスチックボトル容器等に備えられるキャップに関し、特に、キャップ本体内にＩＣタグを内蔵、埋設したＩＣタグ内蔵キャップとその製造方法に関する。
【背景技術】
【０００２】
一般に、ポリエチレンテレフタレート等のポリエステル、ポリプロピレン、ポリアミド等からなるプラスチックボトル容器が知られている。この種のプラスチックボトル容器は、透明性とガスバリヤー性に優れ、例えば、コーラ、サイダー等の炭酸飲料、果汁飲料、ミネラルウォーター、各種お茶類等の飲料用のボトル容器として広く使用されている。
そして、このようなボトル容器には、例えば商品名や内容物の成分、生産者、生産地等、所定の商品情報を表示した文字やバーコード等が付されている。この種の商品情報の表示は、通常、容器外面の包装体に印刷されたり、ラベルに印刷されて貼付されるようになっている。
【０００３】
ところが、商品情報等は、容器のデザイン等を損なわないよう小さく表示されるのが一般的であり、その結果、表示面積や表示される文字の大きさ、文字数等は限られたものとなり、充分な商品情報が表示できないという問題があった。
また、バーコード表示の場合、リーダーで読み取るためにバーコード自体を容器表面に平面状に表示等しなければならず、また、傷や汚れ等があると読み取り不能となってしまい、しかも、バーコードでコード化できる情報量は限られていることから、文字表示の場合と同様に、商品情報を表示、認識する手段としては一定の限界があった。
【０００４】
そこで、このような従来の商品情報表示の不利・不便を解消し、必要かつ十分な商品情報を簡易かつ正確に表示等する手段として、ＩＣタグを用いた技術が提案されている（例えば、特許文献１−２参照。）。
ＩＣタグとは、非接触ＩＣタグ、ＲＦＩＤ（Radio
Frequency Identification）タグ等とも呼ばれるもので、ＩＣチップと無線アンテナを樹脂やガラス等で封止してタグ（荷札）状に形成した超小型の通信端末で、ＩＣチップに所定の情報を記録したタグを対象物に取り付け、無線通信により情報を読取装置側でピックアップすることにより、ＩＣチップに記録された情報を認識、表示するものである。
このようなＩＣタグは、ＩＣチップのメモリに数百バイトのデータが記録可能であり、十分な商品情報等を記録でき、また、読取装置側と非接触であるため接点等の磨耗の心配もなく、さらに、タグ自体は無電源にすることができるため対象物に合わせた加工や小型化・薄型化が可能となる。
【０００５】
そこで、このようなＩＣタグを用いることで、商品に関する種々の情報、例えば商品の名称や重量、内容量、製造・販売者名、製造場所、製造年月日、使用期限等の種々の情報が記録可能となり、従来の文字やバーコードによる商品表示では不可能であった多種多様な商品情報を、超小型のタグを商品に装着するだけで利用することが可能になった。
そして、このようなＩＣタグを取り付ける対象物が飲料や食品等を充填したボトル容器の場合、ＩＣタグは、ボトル容器の本体胴部やキャップの表面に接着剤で接着、貼付されたり、シュリンク包装材等で保持されて装着されるようになっていた（特許文献１−２参照。）。
【０００６】
【特許文献１】特開２００２−２５９９３４号公報（第２−３頁、第１図）
【特許文献２】特開２００４−０１８００３号公報（第１−２頁、第１図）
【発明の開示】
【発明が解決しようとする課題】
【０００７】
しかしながら、接着剤や包装材でボトル容器の本体やキャップの表面に装着されたＩＣタグは、外見上タグが装着されていることが明らかになってしまい、ボトル容器の外観やデザインを損なうおそれがあるだけでなく、商品の出荷、陳列等の際に他の商品や器具等と接触して破損したり、また、人為的に剥離、損壊等することも行え、管理システムに支障を来す可能性があった。
また、ＩＣタグは、超小型であるためにアンテナ長を適切に確保できないことがあり、その結果、無線通信の距離（範囲）が狭い範囲に限られたり、ボトル容器に充填される内容物の影響等によって通信特性が損なわれる場合があった。
このため、ＩＣタグを容器側に分離不能に装着でき、破損等も発生せず、しかも、比較的広い範囲で正確な無線通信が可能となるＩＣタグ付き容器が強く望まれるようになったが、現在までのところ有効な提案はなされていなかった。
【０００８】
本発明は、以上のような従来の技術が有する問題を解決するために提案されたものであり、ＩＣタグをボトル容器のキャップに埋設、内蔵することにより、ＩＣタグを外部から完全に隠蔽し、剥離、損壊等を確実に防止するとともに、アンテナ長を長く確保して通信特性の損失も有効に防止できるＩＣタグ内蔵キャップ及びその製造方法の提供を目的とする。
【課題を解決するための手段】
【０００９】
上記目的を達成するため、本発明のＩＣタグ内蔵キャップは、請求項１に記載するように、容器開口部に着脱可能に取り付けられるキャップであって、キャップ本体と、タグ本体とアンテナを有するＩＣタグとを備え、ＩＣタグがキャップ本体に埋設された構成としてある。
【００１０】
このような構成からなる本発明のＩＣタグ内蔵キャップによれば、ＩＣタグをボトル容器等に取り付けられるキャップの壁部に埋設、内蔵することにより、ＩＣタグを外部から完全に隠蔽することができる。
これによって、ＩＣタグが内蔵されていることが外部からは判らず、破壊、改造等されることを未然に防止することができる。
また、このようにＩＣタグをキャップに内蔵することで、ＩＣタグを剥離、損壊等することも確実に防止することができ、人為的な不正等も行えず、信頼性の高い管理システムを実現することができる。
さらに、ＩＣタグをキャップ側に内蔵することで、容器本体側にはＩＣタグが含まれず、容器はそのまま廃棄、リサイクル処理することができ、容器とキャップの分別廃棄性、リサイクル性にも資することができる。
【００１１】
また、本発明のＩＣタグ内蔵キャップは、請求項２に記載するように、ＩＣタグのアンテナが、キャップ本体の天面部に埋設される構成としてある。
特に、請求項３に記載するように、ＩＣタグのアンテナが、キャップ本体の天面部に渦巻き状に埋設される構成としてある。
【００１２】
このような構成からなる本発明のＩＣタグ内蔵キャップによれば、ＩＣタグのアンテナは、キャップ内で渦巻き状等に配設することができ、ＩＣタグのアンテナ長を、キャップ天面部の面積の範囲内において、任意の長さに設定することができる。
これにより、ＩＣタグの使用周波数等に応じて最適なアンテナ長を設定することでＩＣタグの無線通信特性を向上させ、広範囲において確実な無線通信が可能となる信頼性の高いＩＣタグ内蔵容器を提供することができる。
【００１３】
さらに、本発明のＩＣタグ内蔵キャップは、請求項４に記載するように、ＩＣタグの全体に熱防止シートコート加工を施した構成としてある。
このような構成からなる本発明のＩＣタグ内蔵キャップによれば、本発明のキャップを製造した際に、熱によるＩＣタグの破壊を防止することができ、ＩＣタグを確実に動作させることができる。
これにより、耐熱性の低いＩＣタグであっても、キャップ本体内にＩＣタグが埋設、内蔵されたＩＣタグ内蔵キャップを提供することができる。
【００１４】
また、本発明のＩＣタグ内蔵キャップの製造方法は、請求項５に記載するように、キャップ本体の天面部外側を成形する工程と、成形された天面部外側にＩＣタグを搭載する工程と、ＩＣタグが搭載された天面部外側に、天面部内側を含むキャップ本体を一体成形する工程とを有し、キャップ本体の天面部外側を成形する工程およびキャップ本体を一体成形する工程を圧縮成型または射出成型により行う方法とすることができる。
【００１５】
さらに、本発明のＩＣタグ内蔵キャップの製造方法は、請求項６に記載するように、キャップ本体の天面部外側を成形する工程と、成形された天面部外側にＩＣタグを搭載する工程と、キャップ本体の天面部内側を含むキャップ本体を成形する工程と、ＩＣタグが搭載された天面部外側と、天面部内側を含むキャップ本体を溶着する工程とを有する方法とすることができる。
【００１６】
このように、本発明のＩＣタグ内蔵キャップの製造方法によれば、樹脂製のキャップの製造方法として知られている圧縮成型方法、射出成型方法又はスピンウェルド成型方法を用いて、本発明に係るＩＣタグ内蔵キャップを製造することができる。
これにより、既存の容器キャップの製造設備を利用して、既存の容器キャップとほぼ同様の製造工程により、ＩＣタグ内蔵キャップを製造することができ、製造コスト等を増大させることなく、容易かつ確実に、本発明に係るＩＣタグ内蔵キャップを実現することができる。
【発明の効果】
【００１７】
以上のように、本発明のＩＣタグ内蔵キャップによれば、ＩＣタグをボトル容器のキャップに埋設、内蔵することにより、ＩＣタグを外部から隠蔽することができ、ＩＣタグが内蔵されていることが外部からは判らず、破壊、改造等されることを未然に防止することができる。
また、ＩＣタグをキャップに内蔵することで、ＩＣタグが剥離、損壊等することも有効に防止でき、不正等が行えない信頼性の高い管理システムを実現することができる。
さらに、ＩＣタグのアンテナは、キャップ内で渦巻き状等に配設することができ、ＩＣタグのアンテナ長を所望の長さに設定することができ、ＩＣタグの無線通信特性を向上させて広範囲で確実な無線通信が可能なＩＣタグ内蔵キャップを提供することができる。
このように、本発明によれば、従来にはない顕著な効果を奏する優れたＩＣタグ内蔵キャップを実現することができる。
【発明を実施するための最良の形態】
【００１８】
以下、本発明に係るＩＣタグ内蔵キャップとその製造方法の好ましい実施形態について、図面を参照しつつ説明する。
［ＩＣタグ内蔵キャップ］
まず、図１〜図３を参照して、本発明の一実施形態に係るＩＣタグ内蔵キャップの構成について説明する。
図１は、本発明の一実施形態に係るＩＣタグ内蔵キャップを備えたボトル容器を示す斜視図である。また、図２は、本発明の一実施形態に係るＩＣタグ内蔵キャップを示す、（ａ）は一部断面斜視図、（ｂ）は断面正面図である。
これらの図に示すように、本実施形態のＩＣタグ内蔵キャップは、プラスチック製のボトル容器１の開口部１ａに着脱可能に取り付けられるキャップ本体１０と、このキャップ本体１０の壁部に埋設されるＩＣタグ２０を備えている。
【００１９】
［キャップ本体］
キャップ本体１０は、容器１の開口部１ａに螺合して容器開口を塞ぐキャップ部材であり、図２に示すように、容器開口を塞ぐ天面部１１と、天面部１１と一体的に連続する筒状の胴部１２とからなり、胴部１２の内周面には容器側に螺合するネジ部が形成されるようになっている。
このキャップ本体１０は、例えば、軟質又は硬質のポリエチレン、ポリプロピレン等の合成樹脂からなり、後述する圧縮成型、射出成型、スピンウェルド成型等の公知の成型方法により製造することができる。
そして、このようなキャップ本体１０の天面部１１に、ＩＣタグ２０が埋設されている。
【００２０】
［ＩＣタグ］
ＩＣタグ２０は、図２に示すように、ＩＣチップ２１と、アンテナ２２を有し、これらＩＣチップ２１とアンテナ２２が、樹脂やガラス等からなる基材２３に搭載されて一体的に封止されて一つのＩＣタグを構成している。
そして、このＩＣタグ２０が、上述したキャップ本体１０の天面部１１に埋設されるようになっている。
なお、本実施形態では、ＩＣタグ２０は圧縮成型方法や射出成型方法によりキャップ本体１０に埋設されるようになっており（図４〜図６参照）、製造工程においてＩＣタグ２０は高温で加熱されることになる。
そこで、ＩＣタグ２０は、タグ全体に熱防止シートコート加工をしておくことが好ましい。熱防止シートコートとしては埋設する樹脂と同系材を用いることができ、キャップ成形工程での熱及び圧力からタグを保護するため、例えば約０．５〜５ｍｍのシートによってＩＣを包み込むようにして使用する。
【００２１】
ＩＣチップ２１は、メモリ等の半導体チップからなり、例えば数百バイトのデータが記録可能となっている。
そして、アンテナ２２を介して図示しない読取装置との間で無線通信によって読み書き（データ呼び出し・登録・削除・更新など）が行われ、ＩＣチップ２１に記録されたデータが認識されるようになっている。
ＩＣチップ２１に記録されるデータとしては、例えば、商品の名称や重量、内容量、製造・販売者名、製造場所、製造年月日、使用期限等、任意の情報、データが記録可能であり、また、書換も可能である。データの記録や書換は専用のリーダ・ライタにより行える。
【００２２】
また、ＩＣタグ２０で使用される周波数帯としては、例えば、１３５ｋＨｚ以下の帯域、１３．５６ＭＨｚ帯、いわゆるＵＨＦ帯に属する８６０Ｍ〜９６０ＭＨｚ帯、２．４５ＧＨｚ帯等の数種類の周波数帯がある。そして、使用される周波数帯によって無線通信が可能な通信距離が異なるとともに、周波数帯によって最適なアンテナ長が異なってくる。
そこで、本実施形態では、ＩＣタグ２０のアンテナ２２を、非直線状の渦巻き状に形成、配設するようにしてある。これによって、アンテナ２２のアンテナ長は、天面部１１の面積の範囲内において、任意の長さに設定することが可能となり、ＩＣタグ２０の使用周波数帯に応じて最適なアンテナ長を設定できるようになっている。
【００２３】
具体的には、アンテナ２２は、図３に示すようなパターンで渦巻き状に配設することができる。図３（ａ）はアンテナ２２を丸渦巻き状に配設した場合で、（ｂ）は角渦巻き状に配設した場合である。
なお、図３に示すアンテナ２２の配線パターンは一例であり、同図と同様の渦巻き状に配線しつつ、アンテナ長を短く（長く）したり、アンテナ幅を変更したり、渦巻き状のアンテナのピッチを変更することも勿論可能である。
また、アンテナ２２は、最適なアンテナ長が確保できれば、必ずしも渦巻き状にする必要はなく、例えば、渦巻き形状に至らない曲線形状や鉤形状、卍形状、Ｓ字形状、楕円形状等の任意の非直線形状とすることができる。
また、直線状や面状のアンテナとすることもできる。
【００２４】
［ＩＣタグ内蔵キャップの製造方法］
次に、以上のような構成からなる本実施形態のＩＣタグ内蔵キャップの製造方法について、図４〜図６を参照して説明する。
本実施形態では、ＩＣタグ内蔵キャップの製造方法として、樹脂製キャップの製造方法として知られている圧縮成型方法、射出成型方法又はスピンウェルド成型方法を用いることができる。
このように公知の成型方法を用いることにより、既存の容器やキャップの製造設備を利用して、既存の容器キャップとほぼ同様の製造工程により、本実施形態に係るＩＣタグ内蔵キャップを製造することができる。
【００２５】
［圧縮成型方法］
図４は、圧縮成型方法を用いてＩＣタグ内蔵キャップを製造する場合の製造方法を示す説明図である。
同図に示すように、圧縮成型方法を用いる場合、まず図４（ａ）〜（ｃ）に示すように、キャップ天面部成形用の固定金型に樹脂材料を注入し、可動金型で一定時間加熱、加圧して成形品を成形する。
そして、離型されて取り出されると、図４（ｄ）に示すように、キャップ本体１０の天面部外側１１ａが出来上がる。
【００２６】
次いで、図４（ｅ）に示すように、この天面部外側１１ａにＩＣタグ２０を搭載する。
なお、搭載するＩＣタグ２０は、基材２３上に所望の渦巻き状等に配線したアンテナ２２を形成するとともに、基材２３をキャップ天面部１１に埋設可能な形状及び大きさに形成したものを、予め別工程で製造しておく。
また、ＩＣタグ２０には、予め熱防止シートコート加工を行っておき、圧縮成型時の加熱によりＩＣチップ２１やアンテナ２２が熱ダメージを受けないようにしておく。
【００２７】
次に、図４（ｆ）〜（ｉ）に示すように、ＩＣタグ２０を搭載した天面部外側１１ａを、キャップ本体成形用の固定金型に設置し、この固定金型に樹脂材料を注入して、可動金型で一定時間加熱、加圧する。
これにより、キャップ本体１０の天面部外側１１ａと、天面部内側１１ｂ及び胴部１２を含むキャップ本体１０とが一体成形される。
すなわち、図４（ｊ）に示すように、離型されて取り出された成形品は、天面部１１（１１ａ、１１ｂ）にＩＣタグ２０が埋設されたキャップ本体１０となる。
以上で、圧縮成型方法を用いたＩＣタグ内蔵キャップの製造工程が完了し、本実施形態に係るＩＣタグ内蔵キャップが完成する。
【００２８】
［射出成型方法］
図５は、射出成型方法を用いてＩＣタグ内蔵キャップを製造する場合の製造方法を示す説明図である。
同図に示すように、射出成型方法を用いる場合、まず図５（ａ）及び（ｂ）に示すように、キャップ天面部成形用のキャビティを構成する金型に、高温加熱した樹脂材料を射出して成形品を成形する。
そして、離型されて取り出されると、図５（ｃ）に示すように、キャップ本体１０の天面部外側１１ａが出来上がる。
【００２９】
次いで、図５（ｄ）に示すように、この天面部外側１１ａに、予め別工程で製造されたＩＣタグ２０を搭載する。
次に、図５（ｅ）及び（ｆ）に示すように、ＩＣタグ２０を搭載した天面部外側１１ａを、キャップ本体成形用のキャビティを構成する金型に設置し、この金型に高温加熱した樹脂材料を射出して成形品を成形する。
これにより、キャップ本体１０の天面部外側１１ａと、天面部内側１１ｂ及び胴部１２を含むキャップ本体１０とが一体成形される。
すなわち、図５（ｇ）に示すように、離型されて取り出された成形品は、天面部１１（１１ａ、１１ｂ）にＩＣタグ２０が埋設されたキャップ本体１０となる。
以上で、射出成型方法を用いたＩＣタグ内蔵キャップの製造工程が完了し、本実施形態に係るＩＣタグ内蔵キャップが完成する。
【００３０】
［スピンウェルド成型方法］
図６は、スピンウェルド成型方法を用いてＩＣタグ内蔵キャップを製造する場合の製造方法を示す説明図である。
同図に示すように、スピンウェルド成型方法を用いる場合、予め、公知の射出成型方法や射出成型方法により、キャップ天面部外側１１ａと、天面部内側１１ｂ及び胴部１２を含むキャップ本体１０とを、それぞれ成形しておく。
まず図６（ａ）及び（ｂ）に示すように、予め成形された天面部外側１１ａに、別工程で製造されたＩＣタグ２０を搭載する。
【００３１】
次に、図６（ｃ）に示すように、予め成形された天面部内側１１ｂ及び胴部１２を含むキャップ本体１０を、ＩＣタグ２０を搭載した天面部外側１１ａに位置決めし、その後、スピンウェルド法により天面部外側１１ａとキャップ本体１０を溶着する。
これにより、図６（ｄ）に示すように、キャップ本体１０の天面部外側１１ａと、天面部内側１１ｂ及び胴部１２を含むキャップ本体１０が一体成形され、天面部１１（１１ａ、１１ｂ）にＩＣタグ２０が埋設されたキャップ本体１０が出来上がる。
以上で、スピンウェルド成型方法を用いたＩＣタグ内蔵キャップの製造工程が完了し、本実施形態に係るＩＣタグ内蔵キャップが完成する。
【００３２】
以上説明したように、本実施形態に係るＩＣタグ内蔵キャップによれば、ＩＣタグ２０をボトル容器１に取り付けられるキャップ本体１０の壁部に埋設、内蔵されるので、ＩＣタグ２０を外部から完全に隠蔽することができる。これによって、ＩＣタグ２０がキャップ本体１０に内蔵されていることが外部からは判らず、破壊、改造等されることを未然に防止することができる。
また、このようにＩＣタグ２０をキャップ本体１０に内蔵することで、ＩＣタグ２０を剥離、損壊等することも確実に防止でき、人為的な不正等は行えず、信頼性の高い商品管理システムを実現することができる。
【００３３】
また、ＩＣタグ２０のアンテナ２２は、キャップ本体１０の天面部１１内に渦巻き状等に配設されるので、ＩＣタグ２０のアンテナ長を、キャップ天面部１１の面積の範囲内において任意の長さに設定することができる。これによって、ＩＣタグ２０の使用周波数等に応じて最適なアンテナ長を確保することができ、ＩＣタグ２０の無線通信特性を向上させて、広範囲において確実な無線通信が可能な信頼性の高いＩＣタグ内蔵容器を提供することができる。
さらに、ＩＣタグ２０はキャップ本体１０側に内蔵され、容器１側にはＩＣタグ２０が含まれないので、容器１はそのまま廃棄、リサイクル処理することができ、容器の易廃棄性、リサイクル性にも資することができる。
【００３４】
以上、本発明のＩＣタグ内蔵キャップについて、好ましい実施形態を示して説明したが、本発明に係るＩＣタグ内蔵キャップは、上述した実施形態にのみ限定されるものではなく、本発明の範囲で種々の変更実施が可能であることは言うまでもない。
例えば、上述した実施形態では、本発明のキャップを備える容器として、飲料等の容器として用いられるプラスチック製のボトル容器を例にとって説明したが、本発明のＩＣタグ内蔵キャップを適用できる容器としては、容器の用途や収納する内容物、容器の構成成分等は特に限定されるものではない。すなわち、ＩＣタグを内蔵可能なキャップを備える容器であれば、どのような大きさ、形状、材質等の容器であってもよく、また、容器に収納される内容物がどのようなものであってもよい。
【産業上の利用可能性】
【００３５】
以上説明したように、本発明のＩＣタグ内蔵キャップとその製造方法は、例えば、プラスチック製のボトル容器のキャップ及びその製造方法の分野に好適に利用できる。
【図面の簡単な説明】
【００３６】
【図１】本発明の一実施形態に係るＩＣタグ内蔵キャップを備えたボトル容器を示す斜視図である。
【図２】本発明の一実施形態に係るＩＣタグ内蔵キャップを示す、（ａ）は一部断面斜視図、（ｂ）は断面正面図である。
【図３】本発明の一実施形態に係るＩＣタグ内蔵キャップのアンテナ配設パターンの一例を示す平面図であり、（ａ）はアンテナを丸渦巻き状に配設した場合、（ｂ）は同じく角渦巻き状に配設した場合である。
【図４】本発明の一実施形態に係るＩＣタグ内蔵キャップの製造方法を示す説明図であり、圧縮成型方法を用いる場合である。
【図５】本発明の一実施形態に係るＩＣタグ内蔵キャップの製造方法を示す説明図であり、射出成型方法を用いる場合である。
【図６】本発明の一実施形態に係るＩＣタグ内蔵キャップの製造方法を示す説明図であり、スピンウェルド成型方法を用いる場合である。
【符号の説明】
【００３７】
１  容器
１ａ  開口部
１０  キャップ本体
１１  天面部
２０  ＩＣタグ
２１  タグ本体
２２  アンテナ
２３  基材
【図１】
2005321935.tif 000003
【図２】
2005321935.tif 000004
【図３】
2005321935.tif 000005
【図４】
2005321935.tif 000006
【図５】
2005321935.tif 000007
【図６】
2005321935.tif 000008